(57)【要約】【課題】筐体内の狭隘なスペースに熱交換器を効率よく収めて、その伝熱面積を増大させることができる天井埋込型空気調和装置及び熱交換器を提供する。【解決手段】筐体１内に送風機９及びこれを囲う熱交換器１１が配置された天井埋込型空気調和装置において、熱交換器１１が多角形状に曲げられ、当該熱交換器１１の一部１１Ｄが少なくとも筐体１の一辺１Ｄに対応した位置で筐体１側に張り出す構成を備えた。【選択図】　　　図２
2004093004.tif 000002
【特許請求の範囲】
【請求項１】
筐体内に送風機及びこれを囲う熱交換器が配置された天井埋込型空気調和装置において、
前記熱交換器が多角形状に曲げられ、当該熱交換器の一部が少なくとも筐体の一辺に対応した位置で筐体側に張り出す構成を備えたことを特徴とする天井埋込型空気調和装置。
【請求項２】
前記筐体側に張り出す熱交換器の一部がこの熱交換器の外側の空間に対応する吹出し口とオーバーラップすることを特徴とする請求項１記載の天井埋込型空気調和装置。
【請求項３】
前記筐体側に張り出す熱交換器の一部を挟んでその両側のスペースに熱交換器の配管類及びドレンポンプを配置したことを特徴とする請求項１又は２記載の天井埋込型空気調和装置。
【請求項４】
前記筐体側に張り出す熱交換器の一部を含んで当該熱交換器が５角形状に曲げられていることを特徴とする請求項１乃至３のいずれか一項記載の天井埋込型空気調和装置。
【請求項５】
前記熱交換器が多角形状に曲げられ、曲げ始め位置と曲げ終わり位置とが幅狭の管板で連結されていることを特徴とする請求項１乃至４のいずれか一項記載の天井埋込型空気調和装置。
【請求項６】
前記多角形状の熱交換器の各隅部が共通の曲げローラ治具を使用して曲げられていることを特徴とする請求項１乃至５のいずれか一項記載の天井埋込型空気調和装置。
【請求項７】
前記熱交換器と前記送風機との間に補助ヒータが配置され、この補助ヒータの電装部品が熱交換器の曲げ始め位置と曲げ終わり位置とを連結する管板に支持されていることを特徴とする請求項１乃至６のいずれか一項記載の天井埋込型空気調和装置。
【請求項８】
筐体内に送風機を囲うように配置され、多角形状に曲げられ、その一部が少なくとも筐体の一辺に対応した位置で筐体側に張り出す構成を備えたことを特徴とする熱交換器。
【請求項９】
前記筐体側に張り出す一部を含んで５角形状に曲げられていることを特徴とする請求項８記載の熱交換器。
【請求項１０】
前記多角形状に曲げられた熱交換器の曲げ始め位置と曲げ終わり位置とが幅狭の管板で連結されていることを特徴とする請求項８又は９記載の熱交換器。
【請求項１１】
前記多角形状の熱交換器の各隅部が共通の曲げローラ治具を使用して曲げられていることを特徴とする請求項８乃至１０のいずれか一項記載の熱交換器。
【発明の詳細な説明】
【０００１】
【発明の属する技術分野】
本発明は、天井埋込型空気調和装置及び熱交換器の構造に関する。
【０００２】
【従来の技術】
一般に、筐体内に設けられた送風機を囲うように熱交換器が配置され、この熱交換器の外側の空間に対応させて調和空気の吹出し口が配置された天井埋込型空気調和装置が知られている。
【０００３】
【発明が解決しようとする課題】
この種のものでは、筐体内の狭隘なスペースに種々の機器を収納する構成であるため、これら機器の内の熱交換器には曲げ形状に一定の制約が課される一方で、その伝熱面積を可能な限り増大させることによって、可能な限り大きな能力を得ることが要求されている。
【０００４】
そこで、本発明の目的は、筐体内の狭隘なスペースに熱交換器を効率よく収めて、その伝熱面積を増大させることができる天井埋込型空気調和装置及び熱交換器を提供することにある。
【０００５】
【課題を解決するための手段】
請求項１記載の発明は、筐体内に送風機及びこれを囲う熱交換器が配置された天井埋込型空気調和装置において、前記熱交換器が多角形状に曲げられ、当該熱交換器の一部が少なくとも筐体の一辺に対応した位置で筐体側に張り出す構成を備えたことを特徴とする。
【０００６】
請求項２記載の発明は、請求項１記載のものにおいて、前記筐体側に張り出す熱交換器の一部がこの熱交換器の外側の空間に対応する吹出し口とオーバーラップすることを特徴とする。
【０００７】
請求項３記載の発明は、請求項１又は２記載のものにおいて、前記筐体側に張り出す熱交換器の一部を挟んでその両側のスペースに熱交換器の配管類及びドレンポンプを配置したことを特徴とする。
【０００８】
請求項４記載の発明は、請求項１乃至３のいずれか一項記載のものにおいて、前記筐体側に張り出す熱交換器の一部を含んで当該熱交換器が５角形状に曲げられていることを特徴とする。
【０００９】
請求項５記載の発明は、請求項１乃至４のいずれか一項記載のものにおいて、前記熱交換器が多角形状に曲げられ、曲げ始め位置と曲げ終わり位置とが幅狭の管板で連結されていることを特徴とする。
【００１０】
請求項６記載の発明は、請求項１乃至５のいずれか一項記載のものにおいて、前記多角形状の熱交換器の各隅部が共通の曲げローラ治具を使用して曲げられていることを特徴とする。
【００１１】
請求項７記載の発明は、請求項１乃至６のいずれか一項記載のものにおいて、前記熱交換器と前記送風機との間に補助ヒータが配置され、この補助ヒータの電装部品が熱交換器の曲げ始め位置と曲げ終わり位置とを連結する管板に支持されていることを特徴とする。
【００１２】
請求項８記載の発明は、筐体内に送風機を囲うように配置され、多角形状に曲げられ、その一部が少なくとも筐体の一辺に対応した位置で筐体側に張り出す構成を備えたことを特徴とする。
【００１３】
請求項９記載の発明は、請求項８記載のものにおいて、前記筐体側に張り出す一部を含んで５角形状に曲げられていることを特徴とする。
【００１４】
請求項１０記載の発明は、請求項８又は９記載のものにおいて、前記多角形状に曲げられた熱交換器の曲げ始め位置と曲げ終わり位置とが幅狭の管板で連結されていることを特徴とする。
【００１５】
請求項１１記載の発明は、請求項８乃至１０のいずれか一項記載のものにおいて、前記多角形状の熱交換器の各隅部が共通の曲げローラ治具を使用して曲げられていることを特徴とする。
【００１６】
【発明の実施の形態】
以下、本発明の一実施の形態を、添付図面を参照して説明する。
【００１７】
図１に示すように、この天井埋込型空気調和装置は、板金製の箱形の空気調和機本体１を有し、吊りボルト２で天井からつり下げられている。この空気調和機本体１は下方が開口し、天井に埋め込まれた場合、この開口側が被調和室に対向する。この空気調和機本体１の内側には、モータ５が固定され、このモータ５のシャフトには羽根車７が取り付けられている。これらが送風機９を構成している。この送風機９を取り囲むように、多角形状に曲げられた熱交換器１１が配置され、この熱交換器１１の下側にはドレンパン１３が配置され、このドレンパン１３にはベルマウス１４が取り付けられている。
【００１８】
そして、空気調和機本体１の下面には、化粧パネル２１が取り付けられ、この化粧パネル２１には、吸込口２２と吹出口２３とが形成され、吸込口２２の内側にはフィルタ２５が装着されている。
【００１９】
図２は、ドレンパン１３を取り除いた状態の空気調和機本体１を示す平面図である。上記の熱交換器１１は略５角形（多角形）状に曲げられて、空気調和機本体１の内側に配置されている。
【００２０】
この熱交換器１１の３辺１１Ａ，１１Ｂ，１１Ｃは、空気調和機本体（筐体）１の３辺１Ａ，１Ｂ，１Ｃに対し略平行に延び、残りの一部１１Ｄは、筐体１の一辺１Ｄに対応した位置で、当該筐体１の一辺１Ｄ側に三角状に張り出して構成されている。この熱交換器１１は、図３に示すように、フィン・アンド・チューブ形の熱交換器を、実線矢印で示す空気の流れ方向に対し、二重に重ねて構成され、熱交換器の各隅部Ａ，Ｂ，Ｃ，Ｄを、曲げローラ治具にセットされた半径Ｒの同一ローラ（図示せず）で曲げて、５角形（多角形）状に形成されている。また、この熱交換器１１は、曲げ始め位置１１Ｋと曲げ終わり位置１１Ｌとの間が幅狭の管板１１Ｍを介して連結されている。
【００２１】
ところで、図２を参照し、熱交換器１１の外側の空間には、配管類２７やドレンポンプ２８を配置するスペースを確保する必要があり、しかも近年、筐体１内の狭隘なスペースに熱交換器１１を配置する場合、この熱交換器１１の曲げ形状に一定の制約が課される一方で、伝熱面積を可能な限り増大させて、大きな熱交換能力を得ることが要求されている。
【００２２】
本実施形態では、熱交換器１１の一部１１Ｄを、筐体１側に張り出す構成とすることにより、一部を張り出さない構成のものに比べ、伝熱面積を増大させることができると共に、一部１１Ｄを挟んで、両側の比較的大きなスペースＳ１，Ｓ２に、配管類２７、及びドレンポンプ２８を分散配置することで、これら機器を効率よく格納することができる。
【００２３】
曲げ始め位置１１Ｋと曲げ終わり位置１１Ｌとの間隔を接近させ、幅狭の管板１１Ｍで連結するため、幅広の管板で連結するものに比べ、その分だけ伝熱面積を増大させることができる。
【００２４】
上記構成では、熱交換器１１を曲げる場合、半径Ｒの同一ローラで曲げるため、ローラ交換が不要になり、熱交換器１１の製造工程が簡略化され、製造コストを低減することができる。
【００２５】
図４は、図２に示す空気調和機本体１に対し、ドレンパン１３を装着した状態を示す平面図である。この空気調和機本体１（図４では一点鎖線で示す）は、４辺にほほ矩形の内部吹出口４１を備え、この内部吹出口４１が、図１に示す化粧パネル２１の吹出口２３に連通している。上記ドレンパン１３には、熱交換器１１の一部１１Ｄに対応した位置に、上記内部吹出口４１の内側に突出した、突部１３Ａが一体的に形成されている。
【００２６】
本構成では、筐体１側に張り出す熱交換器１１の一部１１Ｄを、この熱交換器１１の外側の空間に対応する吹出口２３とわずかにオーバーラップさせているため、吹出口２３に、一部１１Ｄに対応したドレンパン１３の上記突部１３Ａが臨むが、この突部１３Ａは、空気調和機本体１を下から覗いた場合、若干目立つが、このデメリット以上に、一部１１Ｄを吹出口２３とオーバーラップさせる程突出させることで、伝熱面積を増大させることができるという、大きなメリットを得ることができる。
【００２７】
図２を参照し、オプションとして、熱交換器１１と送風機９との間に破線で示すように補助ヒータ４３が配置される。
【００２８】
本実施形態では、補助ヒータ４３の電装部品が、熱交換器１１の曲げ始め位置１１Ｋと曲げ終わり位置１１Ｌとを連結する管板１１Ｍに支持される。これによれば、補助ヒータ４３の電装部品を支持するための余分な支持体が不要になるため、製造コストが低減される。
【００２９】
図２及び図４に示すように、熱交換器１１の一部１１Ｄが、筐体１側に三角状に張り出すため、この一部１１Ｄの形状に沿わせて、電装箱４５の形状が略くの字状に曲げて形成されている。
【００３０】
この種の電装箱４５は、一般的には直線状であり、それだと電装箱４５がベルマウス１４内に大きく張り出して、送風機９の吸込み面積を減ずる。本実施形態では、電装箱４５を、熱交換器１１の一部１１Ｄの形状に沿わせて、略くの字状に曲げたため、電装箱４５がベルマウス１４内に張り出すことがなく、送風機９の吸込み面積が大きく確保される。
【００３１】
以上、一実施形態に基づいて本発明を説明したが、本発明は、これに限定されるものでないことは明らかである。
【００３２】
【発明の効果】
本発明では、筐体内の狭隘なスペースに熱交換器を効率よく収め、しかも、その伝熱面積を増大させることができる。
【図面の簡単な説明】
【図１】本発明による天井埋込型空気調和装置及び熱交換器の一実施形態を示す断面図である。
【図２】ドレンパンを外した空気調和機本体の平面図である。
【図３】熱交換器の斜視図である。
【図４】ドレンパンを装着した空気調和機本体の平面図である。
【符号の説明】
１　空気調和機本体
９　送風機
１１　熱交換器
１１Ｄ　一部
１１Ｋ　曲げ始め位置
１１Ｌ　曲げ終わり位置
１１Ｍ　管板
２７　配管類
２８　ドレンポンプ
【図１】
2004093004.tif 000003
【図２】
2004093004.tif 000004
【図３】
2004093004.tif 000005
【図４】
2004093004.tif 000006